(57)【要約】スプロケット径方向スポークを有し、かつ外周縁上に歯を有するスプロケット（２０）を備え、歯は平面内に配置され、各スプロケット径方向スポークは第１円筒面に連続し、円形部材径方向スポークを有する円形部材（１０）とを備え、各円形部材径方向スポークは第２円筒面に連続し、外方円筒面を有するカラー（３０）と、カラーに係合する固定具とを備え、第１円筒面と第２円筒面は外方円筒面に係合し、全ての面は第１平面と同一面内にあり、第１平面は第２平面からずれているスプロケットガード（１０）。
2021506657.tif 000002
【特許請求の範囲】
【請求項１】
スプロケット径方向スポークを有し、かつ外周縁上に歯を有するスプロケットを備え、前記歯は平面ＣＬ１内に配置され、
各スプロケット径方向スポークは第１円筒面に連続し、
円形部材径方向スポークを有する円形部材とを備え、各円形部材径方向スポークは第２円筒面に連続し、
外方円筒面を有するカラーと、
前記カラーに係合する固定具とを備え、
前記第１円筒面と前記第２円筒面は前記外方円筒面に係合し、全ての面は平面ＣＬ２と同一面内にあり、
平面ＣＬ１は平面ＣＬ２からずれている
スプロケットガード。
【請求項２】
前記歯が無端状部材に係合する請求項１に記載のスプロケットガード。
【請求項３】
前記歯がベルトに係合する請求項１に記載のスプロケットガード。
【請求項４】
前記固定具がねじ付きである請求項１に記載のスプロケットガード。
【請求項５】
前記スプロケットが前記カラーを受容する凹部を有する請求項１に記載のスプロケットガード。
【発明の詳細な説明】
【技術分野】
【０００１】
本発明はスプロケットガードに関し、特に、同一平面上にあるスプロケット面とガード面と固定具カラー面とを有する改造が可能であるスプロケットガードに関する。
【背景技術】
【０００２】
自転車は、交通手段と同時にレクリエーションの、ますますよりポピュラーな形態になりつつある。長年にわたって広く再設計されてきた分野は自転車の駆動機構である。
【０００３】
再設計された駆動機構のひとつの特徴的な要素はフロントスプロケットアセンブリである。フロントスプロケットアセンブリは、靴紐と衣服が絡まるのを防止するために、スプロケットに近接したチェーン／スポーク保護具が設けられている。
【０００４】
一般的に従来のチェーン／スポーク保護具は、軸方向スナップフィットを用いてクランクハブに取付けられるか最大スプロケットに取付けられる。これらの従来技術のスポーク／チェーン保護具は概ね良好に作用するが、これらは通常、オリジナル要素として取付けられる。これらの場合、ガードを変更する機会は最小である。製造して組み付けることが比較的単純である現在の自転車のクランクを変更することができる要素に対する需要がある。
【０００５】
上記を考慮すると、この開示から、改良された自転車のスプロケットガードに対する必要性があることは当業者にとって自明である。
【０００６】
この技術の代表は自転車のスプロケットアセンブリを開示する米国特許第８８８８６２９号であり、これはスプロケット要素とチェーン保護具を含む。スプロケット要素は、中心回転軸の周りの外周に配置された複数の歯と、少なくとも１の第１取付け要素とを有する。チェーン保護具は、保護部と、保護部の径方向内側に配置された取付け部とを有する。取付け部は、スプロケット要素とチェーン要素の間の相対回転移動に応じて第１取付け要素に係合する、少なくとも１の第２取付け要素を有する。
【０００７】
必要なものは、同一平面上にあるスプロケット面とガード面と固定具カラー面とを有し、改造が可能であるスプロケットガードである。本発明はこの必要性に合致する。
【発明の概要】
【０００８】
本発明の主な特徴は、同一平面上にあるスプロケット面とガード面と固定具カラー面とを有し、改造が可能であるスプロケットガードを提供することである。
【０００９】
本発明の他の特徴は、本発明の次の記載と添付した図面により示され、明らかになる。
【００１０】
本発明は、スプロケット径方向スポークを有し、かつ外周縁上に歯を有するスプロケットを備え、歯は平面ＣＬ１内に配置され、各スプロケット径方向スポークは第１円筒面に連続し、円形部材径方向スポークを有する円形部材とを備え、各円形部材径方向スポークは第２円筒面に連続し、外方円筒面を有するカラーと、カラーに係合する固定具とを備え、第１円筒面と第２円筒面は外方円筒面に係合し、全ての面は平面ＣＬ２と同一面内にあり、平面ＣＬ１は平面ＣＬ２からずれているスプロケットガードである。
【図面の簡単な説明】
【００１１】
この明細書に組み込まれその一部を構成する添付図面は、本発明の好ましい実施形態を示し、説明とともに本発明の原理を説明するために用いられる。
【図１】前方斜視図である。
【図２】後方斜視図である。
【図３】側方斜視図である。
【図４】クランクの側面図である。
【図５】自転車の側面図である。
【発明を実施するための形態】
【００１２】
図１は前方斜視図である。ガード１０はクランクスプロケットの外周縁と協働する。クランクは自転車に用いられる。
【００１３】
ガード１０は円形であり、カラー３２に係合するネジ付き固定具３０を用いてスプロケット２０に取付けられる。ワッシャ３１は、固定具３０が使用中に緩まないことを確実にする。
【００１４】
カラー３２は外方円筒面３３を有する。面３３は受容面２１に係合する。面２１は円筒状であり、スプロケット２０の２つのスポーク２２ａ、２２ｂの間に形成される。面２１は公知のスプロケットにおいて一般的である。
【００１５】
面２１は面３３に係合する。各径方向スポーク２２ａ、２２ｂは、歯２３を回転軸Ａ−Ａに沿って軸方向に変位させるオフセット２２ｃを有する。歯２３はベルトあるいは他の無端状部材に係合する。
【００１６】
ガード１０は径方向スポーク１１ａ、１１ｂを有する。スポーク１１ａ、１１ｂの頂点１１Ｃは円筒面１３を有する。面１３は面３３に係合する。
【００１７】
図２は後方斜視図である。歯２３は回転軸Ａ−Ａに垂直な平面ＣＬ１上にある。ガードの外方リング１４は回転軸Ａ−Ａに垂直な平面ＣＬ２の上にある。平面ＣＬ１は平面ＣＬ２から距離ｘだけずれている。オフセット２２ｃにより、現在のスプロケットを、スプロケット２０に取付け穴を穿設する必要なしに、ガード１０に変更することが可能になる。カラー３２、面１３および面３１は平面ＣＬ２と同一面内にある。カラー３２の外縁は凹部２５に係合し、これによりカラー３２の位置をスプロケット２０に関して位置決めする。凹部２５は、スポーク２２ａ、２２ｂの間において、スプロケット２０の内側に位置し、これにより装着された装置の審美的外観を高める。
【００１８】
図３は側方斜視図である。複数の固定具３０がガードを現在のスプロケットに取付けるために使用可能である。
【００１９】
図４はクランクの側面図である。クランクアーム４０は従来公知のようにして、クランクの各側部から突出する。ガード１０は、靴紐やズボンの裾がスプロケットに接触または無端状部材に巻き込まれることを防止する。
【００２０】
スプロケットガードは、スプロケット径方向スポークを有し、かつ外周縁上に歯を有するスプロケットを備え、歯は平面ＣＬ１内に配置され、第１円筒面に連続するスプロケット径方向スポークと、円形部材径方向スポークを有する円形部材とを備え、各円形部材径方向スポークは第２円筒面に連続し、外方円筒面を有するカラーと、カラーに係合する固定具とを備え、第１円筒面と第２円筒面は平面ＣＬ２内で外方円筒面に係合し、平面ＣＬ１は平面ＣＬ２からずれている。
【００２１】
図５は自転車の側面図である。クランク７０は自転車のボトムブラケット８０に取付けられる。ベルトＢ（あるいはチェーン）はスプロケット２０と後輪９０のハブとの間に係合する。自転車はまた、フレームＦとシートＳと前輪９１とハンドルバーＨを有し、これらは全て公知である。
【００２２】
本発明の１つの形態が説明されたが、当業者がここに記載された発明の精神と範囲から逸脱することなく、構成と部分の関係において変形が施されてもよい。
【図１】
2021506657.tif 000003
【図２】
2021506657.tif 000004
【図３】
2021506657.tif 000005
【図４】
2021506657.tif 000006
【図５】
2021506657.tif 000007
【国際調査報告】
2021506657.tif 000008
2021506657.tif 000009